(57)【特許請求の範囲】
【請求項１】
第１測定器と第２測定器との間の通信回線の品質を測定するための測定パケットを前記第２測定器に連続的に送信する第１パケット送信部と、
パケットを受信する第１パケット受信部と、
前記第１パケット受信部がパケットを受信しない期間が予め定められた期間を超えた場合に、前記パケット送信部による前記測定パケットの送信を停止させる第１送信制御部と
を有する前記第１測定器と、
前記第１パケット受信部がパケットを受信しない期間が前記予め定められた期間を超えない時間間隔で、前記第１パケット受信部にパケットを連続的に供給して受信させるパケット供給部と
を備える測定システム。
【請求項２】
前記第２測定器
をさらに備える、請求項１に記載の測定システム。
【請求項３】
前記第２測定器は、
前記第１測定器と前記第２測定器との間の通信回線の品質を測定するための測定パケットを前記第１測定器に連続的に送信する第２パケット送信部と、
前記第１パケット送信部が送信した前記測定パケットを受信する第２パケット受信部と、
前記第２パケット受信部が前記測定パケットを受信しない期間が予め定められた期間を超えた場合に、前記第２パケット送信部による前記測定パケットの送信を停止させる第２送信制御部と
を有する、請求項２に記載の測定システム。
【請求項４】
前記第１測定器と前記第２測定器との間の通信回線は光通信回線であって、
前記第２送信制御部は、前記第１測定器と前記第２測定器との間の光通信回線に瞬断が発生した場合に、前記第２パケット送信部による前記測定パケットの送信を停止させる、請求項３に記載の測定システム。
【請求項５】
前記第１パケット送信部は、光通信によって前記測定パケットを送信し、
前記パケット供給部は、前記第１パケット送信部が送信した前記測定パケットを分波して、前記第１パケット受信部に供給する光カプラである、請求項２から４のいずれか一項に記載の測定システム。
【請求項６】
前記パケット供給部は、前記第１パケット受信部がパケットを受信しない期間が前記予め定められた期間を超えない時間間隔で、前記第１パケット受信部にパケットを連続的に送信するパケット送信器である、請求項２から４のいずれか一項に記載の測定システム。
【請求項７】
前記第１測定器はＩＥＥＥ８０２．３ａｅに準拠している、請求項１から６のいずれか一項に記載の測定システム。
【請求項８】
測定器であって、
前記測定器と他の測定器との間の通信回線の品質を測定するための測定パケットを前記他の測定器に連続的に送信する第１パケット送信部と、
パケットを受信する第１パケット受信部と、
前記第１パケット受信部がパケットを受信しない期間が予め定められた期間を超えた場合に、前記パケット送信部による前記測定パケットの送信を停止させる第１送信制御部と、
前記第１パケット受信部がパケットを受信しない期間が前記予め定められた期間を超えない時間間隔で、前記第１パケット受信部にパケットを連続的に送信する第２パケット送信部と
を備える測定器。
【請求項９】
第１測定器が備えるパケット受信部がパケットを受信しない期間が予め定められた期間を超えない間、前記第１測定器と第２測定器との間の通信回線の品質を測定するための測定パケットを前記第２測定器に連続的に送信し、前記パケット受信部がパケットを受信しない期間が前記予め定められた期間を超えた場合に、前記測定パケットの送信を停止する前記第１測定器が備えるパケット送信部が、前記測定パケットを連続的に送信する段階と、
前記パケット受信部がパケットを受信しない期間が前記予め定められた期間を超えない時間間隔で、前記パケット受信部にパケットを連続的に供給して受信させるパケット供給段階と、
を備える測定方法。
【発明の詳細な説明】
【技術分野】
【０００１】
本発明は、測定システム及び測定方法に関する。
【背景技術】
【０００２】
従来、一の測定器から通信回線を介して他の測定器に向けて送信されたパケット数と、他の測定器によって受信されたパケット数との差分から、通信回線の品質を測定する技術が知られていた。
［先行技術文献］
［特許文献］
［特許文献１］特開２００８−１３１２６２号公報
【発明の概要】
【発明が解決しようとする課題】
【０００３】
パケットを受信しない期間が予め定められた期間を超えない間はパケットを連続的に送信し、パケットを受信しない期間が予め定められた期間を超えた場合にパケットの送信を停止する測定器を用いて通信回線の品質を測定しようとした場合に、測定精度が低下してしまう場合があった。
【課題を解決するための手段】
【０００４】
本発明の第１の態様によれば、第１測定器と第２測定器との間の通信回線の品質を測定するための測定パケットを第２測定器に連続的に送信する第１パケット送信部と、パケットを受信する第１パケット受信部と、第１パケット受信部がパケットを受信しない期間が予め定められた期間を超えた場合に、パケット送信部による測定パケットの送信を停止させる第１送信制御部と、第１パケット受信部がパケットを受信しない期間が予め定められた期間を超えない時間間隔で、第１パケット受信部にパケットを連続的に供給して受信させるパケット供給部とを備える測定システムが提供される。
【０００５】
上記測定システムは、第１パケット送信部、第１パケット受信部、及び第１送信制御部を有する第１測定器と、パケット供給部を有するパケット供給器と第２測定器とを備えてよい。上記測定システムにおいて、第２測定器は、第１測定器と第２測定器との間の通信回線の品質を測定するための測定パケットを第１測定器に連続的に送信する第２パケット送信部と、第１パケット送信部が送信した測定パケットを受信する第２パケット受信部と、第２パケット受信部が測定パケットを受信しない期間が予め定められた期間を超えた場合に、第２パケット送信部による測定パケットの送信を停止させる第２送信制御部とを有してよい。
【０００６】
上記測定システムにおいて、第１パケット送信部は、光通信によって測定パケットを送信し、パケット供給器は、第１パケット送信部が送信した測定パケットを分波して、第１パケット受信部に供給する光カプラであってよい。上記測定システムにおいて、パケット供給器は、第１パケット受信部がパケットを受信しない期間が予め定められた期間を超えない時間間隔で、第１パケット受信部にパケットを連続的に送信するパケット送信器であってよい。上記測定システムにおいて、パケット供給部は、第１測定器が有する、第１パケット受信部がパケットを受信しない期間が予め定められた期間を超えない時間間隔で、第１パケット受信部にパケットを連続的に送信する第１パケット送信部であってよい。上記測定システムにおいて、第１測定器はＩＥＥＥ８０２．３ａｅに準拠していてよい。
【０００７】
本発明の第２の態様によれば、パケット受信部がパケットを受信しない期間が予め定められた期間を超えない間、第１測定器と第２測定器との間の通信回線の品質を測定するための測定パケットを第２測定器に連続的に送信し、パケット受信部がパケットを受信しない期間が予め定められた期間を超えた場合に、測定パケットの送信を停止するパケット送信部が、測定パケットを連続的に送信する段階と、パケット受信部がパケットを受信しない期間が予めら定められた期間を超えない時間間隔で、パケット受信部にパケットを連続的に供給して受信させるパケット供給段階とを備える測定方法が提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】本実施形態に係るシステムの一例を概略的に示す。
【図２】本実施形態に係るシステムの一例を概略的に示す。
【図３】本実施形態に係るシステムの一例を概略的に示す。
【図４】本実施形態に係るシステムの一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、本実施形態に係るシステム１００を概略的に示す。システム１００は、測定システムの一例であってよい。システム１００は、通信ネットワーク１０内の通信回線の品質を測定する。通信ネットワーク１０は、任意の通信ネットワークであってよい。例えば、通信ネットワーク１０は、光通信ネットワークである。
【００１２】
システム１００は、第１測定器２００及び第２測定器３００を備える。第１測定器２００と第２測定器３００とは、通信ネットワーク１０における第１測定器２００と第２測定器３００との間の通信回線１２の品質を測定する。第１測定器２００と第２測定器３００とは、通信ネットワーク１０における第１測定器２００と第２測定器３００との間の通信回線１４の品質を測定してもよい。
【００１３】
第１測定器２００は、第１パケット送信部２０２、第１パケット受信部２０４、第１送信制御部２０６、第１送信パケット計数部２０８、及び第１受信パケット計数部２１０を有する。第２測定器３００は、第２パケット送信部３０２、第２パケット受信部３０４、第２送信制御部３０６、第２送信パケット計数部３０８、及び第２受信パケット計数部３１０を有する。
【００１４】
第１パケット送信部２０２は、通信回線１２の品質を測定するための測定パケットを第２パケット受信部３０４に連続的に送信する。測定パケットを連続的に送信するとは、測定パケットを予め定められた時間間隔で送信することであってよい。予め定められた時間間隔は、変更可能であってよい。また、測定パケットを連続的に送信するとは、時間間隔を動的に変更させながら、測定パケットを送信することであってもよい。第１パケット受信部２０４は、パケットを受信する。第１パケット受信部２０４は、第２パケット送信部３０２が送信したパケットを受信してよい。
【００１５】
第１送信制御部２０６は、第１パケット受信部２０４がパケットを受信しない期間が予め定められた期間を超えた場合に、第１パケット送信部２０２による測定パケットの送信を停止させる。予め定められた期間は、例えば数ｍｓｅｃであり、第１測定器２００に対して予め設定されていてよい。また、予め定められた期間は変更可能であってもよい。第１測定器２００は、ＩＥＥＥ８０２．３ａｅに準拠していてよく、第１送信制御部２０６は、ＩＥＥＥ８０２．３ａｅにおける定めに従って、第１パケット受信部２０４がパケットを受信しない期間が予め定められた期間を超えた場合に、第１パケット送信部２０２による測定パケットの送信を停止させてよい。
【００１６】
第１送信パケット計数部２０８は、第１パケット送信部２０２が送信した測定パケットを計数する。第１受信パケット計数部２１０は、第１パケット受信部２０４が受信した測定パケットを計数する。
【００１７】
第２パケット送信部３０２は、第１パケット受信部２０４がパケットを受信しない期間が予め定められた期間を超えない時間間隔で、第１パケット受信部２０４にパケットを連続的に送信する。第２パケット送信部３０２は、通信回線１４の品質を測定するための測定パケットを、第１パケット受信部２０４に連続的に送信してもよい。第２パケット受信部３０４は、第１パケット送信部２０２が連続的に送信した測定パケットを受信する。
【００１８】
第２送信制御部３０６は、第２パケット受信部３０４がパケットを受信しない期間が予め定められた期間を超えた場合に、第２パケット送信部３０２によるパケットの送信を停止させる。予め定められた期間は、例えば数ｍｓｅｃであり、第２測定器３００に対して予め設定されていてよい。また、予め定められた期間は変更可能であってもよい。第２測定器３００は、ＩＥＥＥ８０２．３ａｅに準拠していてよく、第２送信制御部３０６は、ＩＥＥＥ８０２．３ａｅにおける定めに従って、第２パケット受信部３０４がパケットを受信しない期間が予め定められた期間を超えた場合に、第２パケット送信部３０２による測定パケットの送信を停止させてよい。
【００１９】
第２送信制御部３０６は、通信ネットワーク１０が光通信ネットワークであり、通信回線１２が光通信回線であって、通信回線１２に瞬断が発生した場合に、第２パケット送信部３０２によるパケットの送信を停止させてもよい。通信回線１２の瞬断は、例えば、通信回線１２が光スイッチによって切り替えられる複数の通信経路を有する場合であって、光スイッチによる切り替えが行われた場合に発生する。
【００２０】
第２送信パケット計数部３０８は、第２パケット送信部３０２が送信した測定パケットを計数する。第２受信パケット計数部３１０は、第２パケット受信部３０４が受信した測定パケットを計数する。
【００２１】
第１送信パケット計数部２０８により計数された測定パケット数と、第２受信パケット計数部３１０により計数された測定パケット数とから、通信回線１２におけるパケットロス率を算出することができる。これにより、通信回線１２の品質を測定できる。
【００２２】
また、第２パケット送信部３０２が第１パケット受信部２０４に測定パケットを連続的に送信した場合、第２送信パケット計数部３０８により計数された測定パケット数と、第１受信パケット計数部２１０により計数された測定パケット数とから、通信回線１４におけるパケットロス率を算出することができる。これにより、通信回線１４の品質を測定できる。
【００２３】
ここで、仮に、第１パケット送信部２０２が送信した測定パケットが、通信回線１２に発生した何らかの障害によって第２パケット受信部３０４に受信されず、第２パケット受信部３０４がパケットを受信しない期間が予め定められた期間を超えた場合、第２送信制御部３０６によって、第２パケット送信部３０２によるパケットの送信が停止される。第２パケット送信部３０２によるパケットの送信が停止され、第１パケット受信部２０４がパケットを受信しない期間が予め定められた期間を超えると、第１送信制御部２０６によって、第１パケット送信部２０２による測定パケットの送信が停止される。
【００２４】
また、仮に、第２パケット送信部３０２が送信したパケットが、通信回線１４に発生した何らかの障害によって第１パケット受信部２０４に受信されず、第１パケット受信部２０４がパケットを受信しない期間が予め定められた期間を超えると、第１送信制御部２０６によって、第１パケット送信部２０２による測定パケットの送信が停止される。
【００２５】
第１パケット送信部２０２による測定パケットの送信が停止されると、第１送信パケット計数部２０８が計数する測定パケットの数が増加しない。その結果、通信回線１２に障害が発生して、第１パケット送信部２０２が送信する測定パケットが第２パケット受信部３０４に受信されない状態になっているにも関わらず、計算上のパケットロス率が高くならない。すなわち、通信回線１２に発生した障害が、計算上のパケットロス率に反映されないことになり、通信回線１２の品質を測定する精度が低くなる。
【００２６】
そこで、本実施形態に係るシステム１００は、通信回線１２の品質を測定する精度の低下を防止するべく、パケット供給部１１０を備える。パケット供給部１１０は、第１パケット受信部２０４がパケットを受信しない期間が予め定められた期間を超えない時間間隔で、第１パケット受信部２０４にパケットを連続的に供給して受信させる。
【００２７】
これにより、例えば、通信回線１２に障害が発生して、第１パケット送信部２０２が送信した測定パケットが第２パケット受信部３０４に受信されず、第２パケット送信部３０２による測定パケットの送信が停止された場合でも、第１パケット送信部２０２による測定パケットの送信を停止させないようにできる。また、例えば、通信回線１４に障害が発生して、第２パケット送信部３０２が送信したパケットが第１パケット受信部２０４に受信されない場合であっても、第１パケット送信部２０２による測定パケットの送信を停止させないようにできる。
【００２８】
このように、本実施形態に係るシステム１００によれば、通信回線１２又は通信回線１４に発生した障害によって、第１パケット送信部２０２による測定パケットの送信が停止されてしまうことを防止できることから、通信回線１２の品質を測定する精度の低下を防止できる。
【００２９】
図２は、本実施形態に係るシステム１００の一例を概略的に示す。図２は、通信ネットワーク１０が光通信ネットワークであり、システム１００が、パケット供給部１１０の一例として光カプラ１２０を備える場合について説明する。
【００３０】
光カプラ１２０は、第１パケット送信部２０２が送信した測定パケットを分波して、第１パケット受信部２０４に供給する。光カプラ１２０は、第１測定器２００の近傍に設置されることが望ましい。例えば、光カプラ１２０は、通信回線１２上において、第１測定器２００に対して一番近くに接続される通信機器と第１測定器２００との間に配置されてよい。
【００３１】
光カプラ１２０によって、通信回線１２に障害が発生したり、通信回線１２に瞬断が発生したりした場合であっても、第１パケット送信部２０２が送信した測定パケットを第１パケット受信部２０４に受信させることにより、第１パケット受信部２０４がパケットを受信しない期間が予め定められた期間を超えないようにできる。したがって、通信回線１２に障害が発生したり、通信回線１２に瞬断が発生したりした場合であっても、通信回線１２の品質の測定の精度を低下させないようにできる。
【００３２】
図３は、本実施形態に係る測定システムの一例を概略的に示す。図３は、システム１００が、パケット供給部１１０の一例として、パケット送信器１３０を備える場合について説明する。
【００３３】
パケット送信器１３０は、第１パケット受信部２０４がパケットを受信しない期間が予め定められた期間を超えない時間間隔で、第１パケット受信部２０４にパケットを連続的に送信する。パケット送信器１３０は、第１パケット受信部２０４の近傍に配置されることが望ましい。例えば、パケット送信器１３０は、一の通信ケーブルによって直接パケット送信器１３０と接続されていてよい。
【００３４】
パケット送信器１３０によって、例えば、通信回線１２に障害が発生した場合であっても、第１パケット受信部２０４がパケットを受信しない期間が予め定められた期間を超えないようにできる。したがって、パケット送信器１３０によって、通信回線１２の品質の測定の精度を低下させないようにできる。
【００３５】
図４は、本実施形態に係るシステム１００の一例を概略的に示す。図４は、システム１００が、パケット供給部１１０の一例として、パケット送信部２２０を備える場合について説明する。
【００３６】
パケット送信部２２０は、第１測定器２００が有する。パケット送信部２２０は、第１パケット受信部２０４がパケットを受信しない期間が予め定められた期間を超えない時間間隔で、第１パケット受信部２０４にパケットを連続的に送信する。
【００３７】
パケット送信部２２０により、例えば、通信回線１２に障害が発生した場合であっても、第１パケット受信部２０４がパケットを受信しない期間が予め定められた期間を超えないようにできる。したがって、パケット送信部２２０によって、通信回線１２の品質の測定の精度を低下させないようにできる。なお、パケット送信部２２０を有する第１測定器２００は、測定システムの一例であってよい。
【００３８】
上述したように、本実施形態に係るシステム１００は、第１パケット受信部２０４がパケットを受信しない期間が予め定められた期間を超えない間、通信回線１２の品質を測定するための測定パケットを第２測定器３００に連続的に送信し、第１パケット受信部２０４がパケットを受信しない期間が予め定められた期間を超えた場合に、測定パケットの送信を停止する第１パケット送信部２０２が、測定パケットを連続的に送信する段階と、第１パケット受信部２０４がパケットを受信しない期間が予め定められた期間を超えない時間間隔で、第１パケット受信部２０４にパケットを連続的に供給して受信させるパケット供給段階とを実行する。
【００３９】
以上の説明において、第１測定器２００及び第２測定器３００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、第１測定器２００又は第２測定器３００として機能してもよい。プログラムは、コンピュータ読み取り可能な媒体又はネットワークに接続された記憶装置から、第１測定器２００又は第２測定器３００の少なくとも一部を構成するコンピュータにインストールされてよい。
【００４０】
コンピュータにインストールされ、コンピュータを本実施形態に係る第１測定器２００又は第２測定器３００として機能させるプログラムは、ＣＰＵ等に働きかけて、コンピュータを、第１測定器２００又は第２測定器３００の各部としてそれぞれ機能させる。これらのプログラムに記述された情報処理は、コンピュータに読込まれることにより、ソフトウエアと第１測定器２００又は第２測定器３００のハードウエア資源とが協働した具体的手段として機能する。
【００４１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４２】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００４３】
１０  通信ネットワーク、１２  通信回線、１４  通信回線、１００  システム、１１０  パケット供給部、１２０  光カプラ、１３０  パケット送信器、２００  第１測定器、２０２  第１パケット送信部、２０４  第１パケット受信部、２０６  第１送信制御部、２０８  第１送信パケット計数部、２１０  第１受信パケット計数部、２２０  パケット送信部、３００  第２測定器、３０２  第２パケット送信部、３０４  第２パケット受信部、３０６  第２送信制御部、３０８  第２送信パケット計数部、３１０  第２受信パケット計数部
【要約】
【課題】パケットを受信しない期間が予め定められた期間を超えない間はパケットを連続的に送信し、超えた場合にパケットの送信を停止する測定器を用いて通信回線の品質を測定しようとした場合に、品質の測定精度が低下してしまう場合があった。
【解決手段】第１測定器と第２測定器との間の通信回線の品質を測定するための測定パケットを第２測定器に連続的に送信する第１パケット送信部と、パケットを受信する第１パケット受信部と、第１パケット受信部がパケットを受信しない期間が予め定められた期間を超えた場合に、パケット送信部による測定パケットの送信を停止させる第１送信制御部と、第１パケット受信部がパケットを受信しない期間が予め定められた期間を超えない時間間隔で、第１パケット受信部にパケットを連続的に供給して受信させるパケット供給部とを備える測定システムを提供する
【選択図】図１【図１】
0005551299.tif 000002
【図２】
0005551299.tif 000003
【図３】
0005551299.tif 000004
【図４】
0005551299.tif 000005